(57)【要約】【課題】  ＳＩＰ技術を用いて監視カメラ管理サーバの負荷を低減させ、大規模な範囲での監視が可能となる監視カメラシステム及び監視カメラ管理方法を提供する。【解決手段】  監視カメラシステム１００は、監視カメラ管理サーバ１とユーザ端末２ａ,２ｂを備え、監視カメラ管理サーバ１は、ユーザ端末に対しセッションを確立するためのＳＩＰサーバ機能を提供するＳＩＰサーバ機能提供手段１５ａと、監視カメラの制御の要求に応答し監視カメラを識別する情報を含む情報を返信するカメラ監視要求応答手段１５ｄとを備え、ユーザ端末２ａ,２ｂは、ＳＩＰサーバ機能を自装置に設定するＳＩＰサーバ機能設定手段２５ｂと、監視カメラの制御の要求を送信するカメラ制御要求送信手段２５ｃと、監視カメラを識別する情報を基にＳＩＰサーバとして監視カメラを制御するカメラ制御手段２５ｅとを備える。【選択図】      図１
2009206992.tif 000002
【特許請求の範囲】
【請求項１】
複数の監視カメラを管理する監視カメラ管理サーバが、ユーザ端末からの要求に応じて前記監視カメラを制御させる監視カメラシステムであって、
前記監視カメラ管理サーバは、
前記監視カメラの制御を希望する前記ユーザ端末に対し、前記ユーザ端末及び前記監視カメラ間でセッションを確立するためのＳＩＰサーバ機能を提供するＳＩＰサーバ機能提供手段と、
前記ユーザ端末から送信された前記監視カメラの制御の要求に応答し、前記監視カメラを識別する情報を含む情報を返信するカメラ監視要求応答手段
とを備え、前記ユーザ端末は、
前記監視カメラ管理サーバより受信する前記ＳＩＰサーバ機能を自装置に設定するＳＩＰサーバ機能設定手段と、
前記監視カメラの制御の要求を前記監視カメラ管理サーバに送信するカメラ制御要求送信手段と、
前記監視カメラ管理サーバより受信する前記情報に含まれる前記監視カメラを識別する情報を基に、前記ＳＩＰサーバとして前記監視カメラを制御するカメラ制御手段
とを備えることを特徴とする監視カメラシステム。
【請求項２】
前記監視カメラ管理サーバは、  
前記ユーザ端末の前記監視カメラ制御の優先権を格納するユーザ制御情報格納手段と、
前記ユーザ制御情報格納手段に格納される前記優先権を基に、前記ユーザ端末における前記監視カメラの制御状態を管理するユーザ端末管理手段
とを更に備えることを特徴とする請求項１に記載の監視カメラシステム。
【請求項３】
複数の監視カメラを管理する監視カメラ管理サーバが、ユーザ端末からの要求に応じて前記監視カメラを制御させる監視カメラ管理方法であって、
前記監視カメラ管理サーバは、
前記監視カメラの制御を希望する前記ユーザ端末に対し、前記ユーザ端末及び前記監視カメラ間でセッションを確立するためのＳＩＰサーバ機能を提供するステップと、
前記ユーザ端末から送信された前記監視カメラの制御の要求に応答し、前記監視カメラを識別する情報を含む情報を返信するステップ
とを備え、前記ユーザ端末は、
前記監視カメラ管理サーバより受信する前記ＳＩＰサーバ機能を自装置に設定するステップと、
前記監視カメラの制御の要求を前記監視カメラ管理サーバに送信するステップと、
前記監視カメラ管理サーバより受信する前記情報に含まれる前記監視カメラを識別する情報を基に、前記ＳＩＰサーバとして前記監視カメラを制御するステップ
とを備えることを特徴とする監視カメラ管理方法。
【請求項４】
前記監視カメラ管理サーバは、  
前記ユーザ端末の前記監視カメラ制御の優先権をユーザ制御情報格納手段に格納するステップと、
前記ユーザ制御情報格納手段に格納される前記優先権を基に、前記ユーザ端末における前記監視カメラの制御状態を管理するステップ
とを更に備えることを特徴とする請求項３に記載の監視カメラ管理方法。
【発明の詳細な説明】
【技術分野】
【０００１】
本発明は、ＳＩＰ技術を用いて監視カメラシステムの管理を行うことで、監視カメラ管理サーバの負荷を低減させ、より大規模な範囲での監視が可能となる監視カメラシステム及び監視カメラ管理方法に関する。
【背景技術】
【０００２】
Closed Circuit Television（ＣＣＴＶ：閉回路テレビ）を用いた監視カメラシステムが普及してきている。この監視カメラシステムでは、テレビ放送のように不特定多数の人に向けて映像を見せるのではなく、一定の閉じられた範囲で、特定の人が離れた場所の様子を知るために映像を見るように設定される。テレビ放送は電波を利用してアンテナから映像を送るが、監視カメラシステムでは送像側（カメラ）と受像側（モニタ）が、中間に数々の機器を介し、ケーブルで接続される。又、ＬＡＮ、インターネット等の発達により、その機器環境や機能・役割も大きく変わってきた。
【０００３】
以前は、監視カメラ（ＣＣＴＶ）の用途はほとんど工業・産業用で、ダムや製鉄所、工場等の遠隔監視に利用されていたが、今日では、医療用、教育用及び防犯用等へと用途が広がっており、それに伴い１つの監視カメラシステムが管理する監視エリアが拡大している。
【０００４】
従来の監視カメラシステムでは、監視カメラ管理サーバが、各監視エリアに設置されている監視カメラの制御を集中管理して行い、監視映像の閲覧を要求するユーザ端末に監視映像を提供する処理を行っていた。カメラ映像を閲覧したい場合、ユーザ端末は監視カメラ管理サーバのＷＥＢサービス画面にＨＴＴＰでアクセスし、監視カメラ管理サーバはアクセスしてきたユーザ端末に対し、カメラ監視制御機能を提供していた。この方法では、監視カメラ管理サーバは、各ユーザ端末からのリクエストに対してカメラ監視制御機能を提供する一方、実際の監視カメラの制御も行う。
【０００５】
例えば、監視カメラシステムにおいて、クライアントにおける表示を更新する場合に、監視カメラによって得られた画像データのロードを行う手法がある（特許文献１参照）。
【特許文献１】特開２００２−２４７５６３号公報
【発明の開示】
【発明が解決しようとする課題】
【０００６】
しかしながら、特許文献１の手法では、監視カメラ管理サーバと全監視カメラ間においてセッションの確立が必要があった。監視カメラ管理サーバが、常に全ての監視カメラとセッションを確立すると、それだけでかなりのタスク処理量となっていた。又、現在のように監視エリアが拡大し、接続される監視カメラの台数が増加すると、監視カメラ管理サーバにかかる負荷が増大し、このことが、監視カメラ管理サーバで管理可能な監視カメラ台数に制限を設けてしまうという問題になっていた。
【０００７】
本発明は、上記の問題点に鑑みてなされたものであり、ＳＩＰ技術を用いて監視カメラシステムの管理を行うことで、監視カメラ管理サーバの負荷を低減させ、より大規模な範囲での監視が可能となる監視カメラシステム及び監視カメラ管理方法を提供することを目的とする。
【課題を解決するための手段】
【０００８】
上記の問題点を鑑みて、本発明の第１の特徴は、（イ）複数の監視カメラを管理する監視カメラ管理サーバが、ユーザ端末からの要求に応じて監視カメラを制御させる監視カメラシステムであって、監視カメラ管理サーバは、監視カメラの制御を希望するユーザ端末に対し、ユーザ端末及び監視カメラ間でセッションを確立するためのＳＩＰサーバ機能を提供するＳＩＰサーバ機能提供手段と、（ロ）ユーザ端末から送信された監視カメラの制御の要求に応答し、監視カメラを識別する情報を含む情報を返信するカメラ監視要求応答手段とを備え、（ハ）ユーザ端末は、監視カメラ管理サーバより受信するＳＩＰサーバ機能を自装置に設定するＳＩＰサーバ機能設定手段と、（ニ）監視カメラの制御の要求を監視カメラ管理サーバに送信するカメラ制御要求送信手段と、（ホ）監視カメラ管理サーバより受信する情報に含まれる監視カメラを識別する情報を基に、ＳＩＰサーバとして監視カメラを制御するカメラ制御手段とを備える監視カメラシステムであることを要旨とする。
【０００９】
更に本発明の第１の特徴には、（ヘ）監視カメラ管理サーバは、ユーザ端末の監視カメラ制御の優先権を格納するユーザ制御情報格納手段と、（ト）ユーザ制御情報格納手段に格納される優先権を基に、ユーザ端末における監視カメラの制御状態を管理するユーザ端末管理手段とを更に備えることを加えても良い。
【００１０】
本発明の第２の特徴は、（イ）複数の監視カメラを管理する監視カメラ管理サーバが、ユーザ端末からの要求に応じて監視カメラを制御させる監視カメラ管理方法であって、監視カメラ管理サーバは、監視カメラの制御を希望するユーザ端末に対し、ユーザ端末及び監視カメラ間でセッションを確立するためのＳＩＰサーバ機能を提供するステップと、（ロ）ユーザ端末から送信された監視カメラの制御の要求に応答し、監視カメラを識別する情報を含む情報を返信するステップとを備え、（ハ）ユーザ端末は、監視カメラ管理サーバより受信するＳＩＰサーバ機能を自装置に設定するステップと、（ニ）監視カメラの制御の要求を監視カメラ管理サーバに送信するステップと、（ホ）監視カメラ管理サーバより受信する情報に含まれる監視カメラを識別する情報を基に、ＳＩＰサーバとして監視カメラを制御するステップとを備える監視カメラ管理方法であることを要旨とする。
【発明の効果】
【００１１】
本発明の監視カメラシステム及び監視カメラ管理方法によると、ＳＩＰ技術を用いて監視カメラシステムの管理を行うことで、監視カメラ管理サーバの負荷を低減させ、より大規模な範囲での監視を可能とすることができる。
【発明を実施するための最良の形態】
【００１２】
先ずＳＩＰ（Session Initiation Protocol）について説明する。ＳＩＰは、アプリケーション層で２つ以上の相手に対して、音声、映像及びテキストメッセージ等の交換などを行うために必要なセッションの生成・変更・切断を行うプロトコルである。ＳＩＰは、リアルタイム通信のためのプロトコルであり、ＩＰ電話、テレビ電話、ビデオチャット、テレビ会議、インスタントメッセンジャー等様々なリアルタイム性が要求されるアプリケーションで採用が進んでいる
ＳＩＰにおけるメッセージは、テキストで記述され、また、ＨＴＴＰやＳＭＴＰを例に設計されたため、シンプルで拡張性が高く、インターネットと親和性が高い。そのため、実装は、ＩＴＵ−Ｔが勧告したＨ．３２３に比べ容易となっており、ＩＰ電話等で用いられるシグナリング・プロトコルは、Ｈ．３２３やその他の独自ベンダープロトコルから、ＳＩＰへ統合されつつある。
【００１３】
ＳＩＰは、ユーザの端末間でセッションの生成、変更、切断を行うのみのプロトコルで、セッション上で交換されるデータそのものについては定めていない。従って、アプリケーションが、ＳＩＰによって制御されたセッション上で、音声のやりとりを行えばＩＰ電話、音声と映像ならばテレビ電話、テキストメッセージならばインスタントメッセンジャーというように幅広い応用が可能となっている。
【００１４】
監視カメラシステムにおいては、監視カメラ管理サーバではなく、このＳＩＰ技術にて、監視カメラと監視カメラが撮影する映像を閲覧したいユーザ端末との間で、ＳＩＰクライアントとＳＩＰサーバとしてセッションを確立し、映像をユーザ端末のモニタ等に提示する。これにより、監視カメラ管理サーバは常時管理する全ての監視カメラとセッションを確立する必要が無くなり、監視カメラ管理サーバの処理タスクを減少させることができる。
【００１５】
このようにＳＩＰ技術を用いた方式を使用すると、監視カメラ管理サーバの負担は監視カメラの台数ではなく、ユーザ端末の数に依存することとなる。通常、監視カメラ台数と比べるとユーザ端末数は少ない場合が多い。よって、監視カメラの監視・制御機能をユーザ端末の操作として使用させることで、監視カメラ管理サーバにかかる負担は軽減される。これにより大規模な監視カメラシステムの構築が可能となる。
【００１６】
以下、本発明の実施の形態に係る監視カメラシステム及び監視カメラ管理方法について説明する。尚、本発明の実施の形態において使用される機器、手法等は一例であり、本発明はこれらに限定されるものではないことは勿論である。
【００１７】
（実施の形態）
（監視カメラシステム）
先ず、本発明の実施の形態に係る監視カメラシステム１００について説明する。監視カメラシステム１００は、図１に示すように、監視カメラ管理サーバ１、ユーザ端末２ａ，２ｂ、監視カメラ３ａ，３ｂ，３ｃ、及びこれらを接続するＩＰネットワーク４等から構成される。
【００１８】
監視カメラ３ａ〜３ｃは、監視する対象を撮影する為のカメラであり、ＳＩＰクライアントとしての機能（プログラム）を備えている。ユーザ端末２ａ，２ｂは、監視カメラ３ａ〜３ｃが撮影した映像を制御し、表示する。監視カメラ管理サーバ１は、各監視カメラ３ａ〜３ｃを識別する情報と、ユーザ端末をＳＩＰサーバとして機能させるためのプログラムを備えており、ユーザ端末２ａ，２ｂから所定の監視カメラ３ａ〜３ｃの映像を制御したいとの要求を受けると、ユーザ端末をＳＩＰサーバとして機能させるためのプログラム及び所望の監視カメラを識別する情報を、ＩＰネットワークを介して送信する。
【００１９】
ユーザ端末２ａ，２ｂはこのプログラムをインストールし、受信する所望の監視カメラを識別する情報を基に、ＳＩＰサーバとして所望の監視カメラ３ａ〜３ｃ（ＳＩＰクライアント）との間でＳＩＰリクエスト、ＳＩＰレスポンス等を送受信し、セッションを確立し、監視カメラ３ａ〜３ｃの映像を表示する。次に各装置について詳細に説明する。
【００２０】
（監視カメラ管理サーバ）
監視カメラ管理サーバ１は、図２に示すように、入力装置１１、出力装置１２、通信インタフェース１３、通信制御装置１４、中央処理制御装置（以下、ＣＰＵと記載）１５、ＳＩＰサーバ機能格納手段１６及びカメラ識別情報格納手段１７等を備えている。ＣＰＵ１５は、ＳＩＰサーバ機能提供手段１５ａ、カメラ識別情報管理手段１５ｂ、カメラ監視要求受付手段１５ｃ及びカメラ監視要求応答手段１５ｄ等を備えている。
【００２１】
ＳＩＰサーバ機能格納手段１６は、ＡｃｔｉｖｅＸコントローラ等のＳＩＰサーバ機能（プログラム）を格納する。カメラ識別情報格納手段１７は、管理している監視カメラの各々を識別する情報を格納する。ＳＩＰサーバ機能提供手段１５ａは、監視カメラの制御を希望するユーザ端末２ａ，２ｂに対し、ＳＩＰサーバ機能を提供する。
【００２２】
カメラ識別情報管理手段１５ｂは、管理する各々の監視カメラ３ａ〜３ｃを識別する情報を管理する。カメラ監視要求受付手段１５ｃは、ユーザ端末２ａ，２ｂから送信される、所定の監視カメラが撮影する映像を閲覧したい（制御したい）というリクエストを受け付ける。
【００２３】
カメラ監視要求応答手段１５ｄは、監視カメラ制御のリクエストに応答する、監視カメラ制御のレスポンスを送信元のユーザ端末２ａ，２ｂに返信する。このレスポンスには所望の監視カメラを識別する情報が含まれている。
【００２４】
入力装置１１は、キーボード、マウス、又はハードディスク等の外部記憶装置からの入力信号を受信するインタフェースである。出力装置１２は、処理結果等を出力するための装置であり、具体的には液晶ディスプレイ、ＣＲＴディスプレイ、プリンタ等を指す。通信インタフェース１３は、外部の装置間においてデータを送受信するための装置である。通信制御装置１４は、外部の装置間においてデータを送受信する為の制御信号を生成する。
【００２５】
（ユーザ端末）
ユーザ端末２ａ，２ｂは、図３に示すように、入力装置２１、出力装置２２、通信インタフェース２３、通信制御装置２４、ＣＰＵ２５等を備えており、ＣＰＵ２５は、ＳＩＰサーバ機能要求手段２５ａ、ＳＩＰサーバ機能設定手段２５ｂ、カメラ制御要求送信手段２５ｃ、カメラ制御要求応答受信手段２５ｄ及びカメラ制御手段２５ｅ等を備えている。
【００２６】
ＳＩＰサーバ機能要求手段２５ａは、監視カメラ管理サーバ１に対し、ＳＩＰサーバ機能を要求する。ＳＩＰサーバ機能設定手段２５ｂは、監視カメラ管理サーバ１より受信するＳＩＰサーバ機能を受信し、自装置に設定する。
【００２７】
カメラ制御要求送信手段２５ｃは、所定の監視カメラ３ａ〜３ｃを閲覧・制御したいという要求を監視カメラ管理サーバ１に送信する。カメラ制御要求応答受信手段２５ｄは、監視カメラ管理サーバ１より、所定の監視カメラ３ａ〜３ｃを制御できる許可と、所定の監視カメラ３ａ〜３ｃを特定する識別情報を受信する。
【００２８】
カメラ制御手段２５ｅは、監視カメラの識別情報を元に、所望の監視カメラ３ａ〜３ｃの撮影する映像を閲覧・制御する。その他の装置については図２と同様である為説明を省略する。
【００２９】
（監視カメラ管理方法）
次に、監視カメラシステム１００の動作について、図４のフローチャートを参照して説明する。
【００３０】
（ａ）先ずステップＳ１０１において、ユーザ端末２ａ，２ｂが、所望の監視カメラの映像を閲覧・制御したい場合、ＳＩＰサーバ機能要求手段２５ａが、監視カメラ管理サーバ１に対し、ＳＩＰサーバ機能を要求する。監視カメラ管理サーバ１のＳＩＰサーバ機能提供手段１５ａは、このＳＩＰサーバ機能要求を受信し、送信元のユーザ端末２ａ，２ｂに対し、ＳＩＰサーバ機能を提供する。ステップＳ１０２において、ユーザ端末２ａ，２ｂがＳＩＰサーバ機能を受信すると、ＳＩＰサーバ機能設定手段２５ｂがこのプログラムをインストールする。尚、ユーザ端末２ａ，２ｂが、既にＳＩＰサーバ機能を備えている場合にはこの処理は省略して構わない。又、監視カメラシステム１００に存在しないユーザ端末、又は不審な動作をするユーザ端末であった場合、ＳＩＰサーバ機能を送信しなくても構わない。
【００３１】
（ｂ）ステップＳ２０３においては、ユーザ端末２ａ，２ｂのカメラ制御要求送信手段２５ｃが、所望の監視カメラの映像を制御する要求を監視カメラ管理サーバ１に送信する。監視カメラ管理サーバ１のカメラ監視要求受付手段１５ｃがこの要求を受信すると、カメラ識別情報管理手段１５ｂは、カメラ識別情報格納手段１７より所望する監視カメラを識別する情報を取得する。カメラ監視要求応答手段１５ｄは、取得された監視カメラを識別する情報を付加したカメラ監視要求応答を、送信元のユーザ端末２ａ，２ｂに送信する。送信元のユーザ端末２ａ，２ｂのカメラ制御要求応答受信手段２５ｄは、このカメラ監視要求応答を受信し、所望する監視カメラを識別する情報を取得する。
【００３２】
（ｃ）ステップＳ２０４において、ユーザ端末２ａ，２ｂのカメラ制御要求応答受信手段２５ｄが、所望する監視カメラを識別する情報を取得する。ユーザ端末２ａ,２ｂのカメラ制御手段２５ｅはＳＩＰ機能を用い、所望する監視カメラを識別する情報を基に、所望する監視カメラ３ａ〜３ｃとの間でセッションを確立する。この際ユーザ端末２ａ,２ｂはＳＩＰサーバとして、ＳＩＰクライアントである監視カメラ３ａ〜３ｃとの間でＳＩＰリクエスト、ＳＩＰレスポンスを行う。
【００３３】
（ｄ）ステップＳ２０５において、ユーザ端末２ａ，２ｂと所望の監視カメラ３ａ〜３ｃ間でセッションが確立すると、ユーザ端末２ａ，２ｂのカメラ制御手段２５ｅは、所望の監視カメラ３ａ〜３ｃの制御を行い、所望の監視カメラ３ａ〜３ｃが撮影する映像を閲覧・編集等する。
【００３４】
本発明の実施の形態によると、ＳＩＰ技術を用いてユーザ端末と監視カメラ間のセッション確立を行うことで、監視カメラ管理サーバの負荷を低減させ、より大規模な範囲での監視が可能となる。
【００３５】
（変更例）
監視カメラシステム１００においては、ユーザ端末２ａとユーザ端末２ｂが同時間帯に同じ監視カメラ３ａ〜３ｃを制御したい場合に発生する輻輳について考慮していなかったが、監視カメラ３ａ〜３ｃ毎にユーザ端末２ａ，２ｂに対する優先順位を付した排他制御機能を備えさせることも可能である。
【００３６】
排他制御機能を備える監視カメラ管理サーバ１ａは、図５に示すように入力装置１１、出力装置１２、通信インタフェース１３、通信制御装置１４、ＣＰＵ１５、ＳＩＰサーバ機能格納手段１６、カメラ識別情報格納手段１７及びユーザ制御情報格納手段１８等を備えている。ＣＰＵ１５は、ＳＩＰサーバ機能提供手段１５ａ、カメラ識別情報管理手段１５ｂ、カメラ監視要求受付手段１５ｃ、カメラ監視要求応答手段１５ｄ、ユーザ端末管理手段１５ｅ及びユーザ優先権設定手段１５ｆ等を備える。  
ユーザ制御情報格納手段１８は、ユーザ端末２ａ，２ｂの優先権、又は監視カメラ３ａ〜３ｃ毎のユーザ端末２ａ，２ｂの優先権等を格納する。ユーザ端末管理手段１５ｅは、ユーザ端末２ａ，２ｂにおける監視カメラ３ａ〜３ｃ毎の制御状態を管理する。制御状態はユーザ制御情報格納手段１８に一時記憶される。ユーザ優先権設定手段１５ｆは、各ユーザ端末の優先権を設定し、ユーザ制御情報格納手段１８に格納する。他の装置については図２と同様であるため説明を省略する。
【００３７】
排他制御機能を備える監視カメラ管理サーバ１ａを備える監視カメラシステム１００ａの動作を図６のフローチャートを基に説明する。
【００３８】
（ａ）ステップＳ２０１，Ｓ２０２においては、ステップＳ１０１，Ｓ１０２と同様であるため説明を省略する。
【００３９】
（ｂ）ステップＳ２０３において、図５の監視カメラ管理サーバ１ａは、ユーザ端末２ａ，２ｂが制御希望している監視カメラが現在他のユーザ端末に使用されていないかチェックする。チェックの結果、使用中でなければステップＳ２０４へ進み、ステップＳ２０４〜Ｓ２０６の処理を実行する（ステップＳ１０３〜Ｓ１０５と同様であるため説明を省略する）。使用中であればそのまま処理を中断し、現在所望の監視カメラは他の優先権の高いユーザにより使用中であり待機状態であることを、送信元のユーザ端末２ａ，２ｂに通知する。
【００４０】
具体的には、ユーザ端末管理手段１５ｅが、ユーザ制御情報格納手段１８より、図７に示すような現在のユーザ端末の制御状態情報を取得し、使用状態をチェックする。例えばユーザＢ（ユーザ端末２ｂ）からカメラ１（監視カメラ３ａ）を制御したいとのリクエストがあった場合には、図７の制御状態情報では、カメラ１はユーザＡ（ユーザ端末２ａ）に使用されており、且つ優先権はユーザＡが「１」となっている。よってユーザ端末管理手段１５ｅは、現在使用不可能と判断する。
【００４１】
この他、監視カメラ毎に優先権を設定しても構わない。この場合、ユーザ端末管理手段１５ｅは、ユーザ制御情報格納手段１８より、図８に示すような現在のユーザ端末の制御状態情報を取得し、使用状態をチェックする。例えばユーザＢ（ユーザ端末２ｂ）からカメラ２（監視カメラ３ｂ）を制御したいとのリクエストがあった場合には、図８の制御状態情報では、カメラ２はユーザＡ（ユーザ端末２ａ）に使用されているが、優先権はユーザＢが「１」となっている。よってユーザ端末管理手段１５ｅは、ユーザＢが使用可能と判断し、カメラ２の制御権をユーザＢに切り替える。
【００４２】
尚、待機状態のユーザ端末が存在する場合、優先権が高いユーザ端末の制御が終了すると、ユーザ端末管理手段１５ｅが待機状態のユーザ端末にこれを通知し、制御権を与えても構わない。この場合、１つのユーザ端末における複数の待機状態は存在させないようにすることが好ましい。例えば、ユーザ端末２ａがカメラ１の待機状態で、カメラ２の実行制御を望んだ場合、ユーザ端末管理手段１５ｅはユーザ端末２ａのカメラ１の待機状態を解除するようにする。
【００４３】
このように、各監視カメラ３ａ〜３ｃに対して優先権が一番高いユーザ端末２ａ，２ｂのみに制御権を与えるようにすることで、複数のユーザ端末からの輻輳制御を回避することができる。
【図面の簡単な説明】
【００４４】
【図１】本発明の実施の形態に係る監視カメラシステムの構成を示す図である。
【図２】監視カメラ管理サーバの内部構成を示す図である。
【図３】ユーザ端末の内部構成を示す図である。
【図４】監視カメラシステムの動作を示すフロー図である。
【図５】排他制御機能を備える監視カメラ管理サーバの内部構成を示す図である。
【図６】監視カメラシステムの動作を示すフロー図である。
【図７】ユーザ制御情報格納手段の内部データを示す図である。
【図８】ユーザ制御情報格納手段の内部データを示す図である。
【符号の説明】
【００４５】
１，１ａ…監視カメラ管理サーバ
２ａ，２ｂ…ユーザ端末
３ａ，３ｂ，３ｃ…監視カメラ
４…ＩＰネットワーク
１１…入力装置
１２…出力装置
１３…通信インタフェース
１４…通信制御装置
１５…ＣＰＵ
１５ａ…ＳＩＰサーバ機能提供手段
１５ｂ…カメラ識別情報管理手段
１５ｃ…カメラ監視要求受付手段
１５ｄ…カメラ監視要求応答手段
１５ｅ…ユーザ端末管理手段
１５ｆ…ユーザ優先権設定手段
１６…ＳＩＰサーバ機能格納手段
１７…カメラ識別情報格納手段
１８…ユーザ制御情報格納手段
２１…入力装置
２２…出力装置
２３…通信インタフェース
２４…通信制御装置
２５…ＣＰＵ
２５ａ…ＳＩＰサーバ機能要求手段
２５ｂ…ＳＩＰサーバ機能設定手段
２５ｃ…カメラ制御要求送信手段
２５ｄ…カメラ制御要求応答受信手段
２５ｅ…カメラ制御手段
１００、１００ａ…監視カメラシステム
【図１】
2009206992.tif 000003
【図２】
2009206992.tif 000004
【図３】
2009206992.tif 000005
【図４】
2009206992.tif 000006
【図５】
2009206992.tif 000007
【図６】
2009206992.tif 000008
【図７】
2009206992.tif 000009
【図８】
2009206992.tif 000010